(57)【要約】【課題】放射線画像を担持した放射線の照射により放射線画像を記録する放射線画像記録媒体から放射線画像に応じた信号を検出する放射線画像検出器において、放射線照射中における実時間信号の取得を簡易な構造かつ低コストで実現する。【解決手段】放射線の照射により電荷を光導電層において発生した電荷を蓄積し、その蓄積された電荷を複数の第１の線状電極５ａからなる第１のストライプ電極５１と複数の第２の線状電極５ｂからなる第２のストライプ電極５２とを利用して検出する第１の検出部８とを備えた放射線画像検出器において、第２のストライプ電極５２に第２の検出部７を接続し、その第２の検出部７を利用して光導電層における電荷の発生に応じて第２のストライプ電極５２に流れた電流を検出することにより放射線照射中における実時間信号を得る。【選択図】          図２
2004342691.tif 000002
【特許請求の範囲】
【請求項１】
放射線画像を担持した放射線を透過する第１の電極層と、該第１の電極層を透過した前記放射線の照射により電荷を発生する光導電層と、該光導電層において発生した電荷を蓄積する蓄電部と、複数の第１の線状電極が所定の間隔を空けて平行に配列された第１のストライプ電極および前記第１の線状電極の間に配列された複数の第２の線状電極からなる第２のストライプ電極を有する第２の電極層とをこの順に積層してなる放射画像記録媒体と、前記第１のストライプ電極に接続され、前記第１のストライプ電極および前記第２のストライプ電極を利用して前記蓄電部に蓄積された電荷を検出する第１の検出部とを備えた放射線画像検出器において、
前記第２のストライプ電極に接続され、前記光導電層における電荷の発生に応じて前記第２のストライプ電極に流れる電流を検出する第２の検出部を備えたことを特徴とする放射線画像検出器。
【請求項２】
前記第２のストライプ電極が、前記第２の線状電極をその長さ方向に所定の間隔で切断して形成された部分電極を、前記第２の線状電極の配列方向に複数本接続したくし型電極を複数備えてなるものであり、
前記第２の検出部が、前記複数のくし型電極のそれぞれに接続される複数の電流検出部から構成されたものであることを特徴とする請求項１記載の放射線画像検出器。
【発明の詳細な説明】
【０００１】
【発明の属する技術分野】
本発明は、放射線の照射により該放射線に担持された放射線画像を記録する放射線画像記録媒体から放射線画像に応じた信号を検出する放射線画像検出器に関するものであり、特に、上記放射線画像の記録中における放射線の線量を検出する放射線画像検出器に関するものである。
【０００２】
【従来の技術】
従来より、被写体を透過したＸ線などの放射線の線量に応じた量の電荷を蓄電部に蓄積することにより放射線画像を記録する放射線画像記録媒体から上記放射線画像に応じた信号を検出する放射線画像検出器が、医療用放射線画像の撮影などにおいて多く利用されており、種々のタイプのものが提案されている。
【０００３】
上記のような放射線画像検出器としては、たとえば、特許文献１には、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状に延びる第１の線状電極と読取光を遮光する線状に延びる第２の線状電極とが平行に交互に配列された第２の電極層をこの順に積層してなる放射線画像記録媒体を備えた放射線画像検出器が提案されている。上記放射線画像検出器においては、第１の電極層側から放射線が照射され、照射された放射線の線量に応じた量の潜像電荷が記録用光導電層と電荷輸送層との界面に形成される蓄電部に蓄積されることより、放射線画像が記録される。そして、第２の電極層側から照射された読取光が第１の線状電極を透過して読取用光導電層に照射され、その読取光の照射により読取用光導電層において発生した一方の極性の電荷が蓄電部における潜像電荷と結合するとともに、他方の極性の電荷が第１または第２の線状電極に接続された電流検出アンプにより検出されることにより放射線画像が電気信号として読み出される。
【０００４】
ここで、上記のような放射線画像検出器により放射線画像の撮影を行う際には、撮影される人体の部位や、放射線源の種類などによって放射線の線量が制御され、人体に影響がなく、かつ画像診断に適切な画質の放射線画像を得ることができる線量に制御される。そして、上記のような放射線の線量の制御を行うために、従来は、フォトタイマーが利用されていたが、フォトタイマーは放射線画像検出器と被写体との間に配置されるため、放射線画像検出器と被写体との間に間隔が空いてしまう。上記のような間隔が空くと、放射線画像検出器により得られる放射線画像は、実際の寸法よりも拡大されて、実際の被写体の大きさと放射線画像上での被写体の大きさが異なってしまう。このような大きさの違いが、意図的に拡大撮影を行う場合を除いて、通常の放射線画像の撮影で生じることは、放射線画像を用いて医療診断したり治療等の計画を立てたりする上で好ましいものではなく、また、放射線画像を用いて被写体の幾何学的計測を行う場合に正確に計測できないおそれもある。また、フォトタイマーは予め設定された基準値と検出した放射線の線量とを比較し、その基準値よりも上記線量が大きくなった場合には、放射線の照射を停止する信号を出力するものであるが、線源の種類や線質によりフォトタイマーの感度が異なるため、線源の種類や線質によって上記基準値を補正する必要がある。
【０００５】
そこで、特許文献２や特許文献３において、上記のようなフォトタイマーを利用することなく放射線の線量を制御する信号を得る方法が提案されている。たとえば、特許文献２には、アモルファス・セレンなどの光導電層により放射線画像を担持した放射線を電荷に変換して放射線画像の検出を行う、いわゆる直接変換型の放射線画像検出器において、上記のようにして発生した電荷を画素毎に収集するマイクロプレートを、放射線照射中に発生した電荷に応じた実時間信号を読み出す実時間信号用電極と、放射線画像記録後の積算放射線画像信号を読み出す放射線画像信号用電極とにそれぞれ分割し、実時間信号用電極から読み出された実時間信号に基いて放射線の線量を制御する信号を出力する方法が提案されている。また、特許文献３には、上記と同様に直接変換型の放射線画像検出器において、放射線の入射面に静電感知型電極を別体として設け、その静電感知型電極により放射線照射中に検出された実時間信号に基いて放射線の線量を制御する信号を出力する方法が提案されている。
【０００６】
【特許文献１】
特開２０００−２８４０５６号公報
【０００７】
【特許文献２】
特開２００１−１１６８４６号公報
【０００８】
【特許文献３】
特開２００３−５０５７０５号公報
【０００９】
【発明が解決しようとする課題】
しかしながら、特許文献２記載の方法のように、画素毎に設けられたマイクロプレートを分割する方法では、構造が複雑となり、また配線も多くなるため製造工程が複雑となり、コストアップとなる。また、上記のようにして分割された電極を切り換えるスイッチチング回路を設けているので、スイッチングノイズが発生し、画質の劣化を招くおそれもある。また、特許文献３記載の方法では、上記のように別体で静電感知型電極を設ける必要があるので、その分コストアップとなる。また、上記電極が放射線の入射側に配置されるため、上記電極の像が写り易くなってしまう。特にマンモの撮影時は低線量で行われるため、上記像の影響は大きいものとなる。
【００１０】
本発明は、上記のような事情に鑑み、放射線画像を担持した放射線の照射により放射線画像を記録する放射線画像記録媒体から放射線画像に応じた信号を検出する放射線画像検出器において、放射線照射中における実時間信号の取得を簡易な構造かつ低コストで実現することができる放射線画像検出器を提供することを目的とするものである。
【００１１】
【課題を解決するための手段】
本発明の放射線画像検出器は、放射線画像を担持した放射線を透過する第１の電極層と、第１の電極層を透過した放射線の照射により電荷を発生する光導電層と、光導電層において発生した電荷を蓄積する蓄電部と、複数の第１の線状電極が所定の間隔を空けて平行に配列された第１のストライプ電極および第１の線状電極の間に配列された複数の第２の線状電極からなる第２のストライプ電極を有する第２の電極層とをこの順に積層してなる放射画像記録媒体と、第１のストライプ電極に接続され、第１のストライプ電極および第２のストライプ電極を利用して蓄電部に蓄積された電荷を検出する第１の検出部とを備えた放射線画像検出器において、第２のストライプ電極に接続され、光導電層における電荷の発生に応じて第２のストライプ電極に流れる電流を検出する第２の検出部を備えたことを特徴とする。
【００１２】
ここで、上記「放射線画像記録媒体」としては、上記層を上記順で積層してなるものであれば如何なるものでもよく、上記層の以外のその他の層が上記層の間などに存在するものも含むものとする。
【００１３】
また、上記放射線画像検出器においては、第２のストライプ電極を、第２の線状電極をその長さ方向に所定の間隔で切断して形成された部分電極を、第２の線状電極の配列方向に複数本接続したくし型電極を複数備えてなるものとし、第２の検出部を、複数のくし型電極のそれぞれに接続される複数の電流検出部から構成されたものとすることができる。
【００１４】
ここで、上記「第２の線状電極をその長さ方向に所定の間隔で切断して」とは、第２の線状電極をその長さ方向に所定の長さ毎に切断することを意味し、各部分電極の長さは同じでもよいし、異なっていてもよい。
【００１５】
【発明の効果】
本発明の放射線画像検出器によれば、上記放射線画像記録媒体の第２の電極層における第１のストライプ電極および第２のストライプ電極を利用して蓄電部に蓄積された電荷を検出する放射線画像検出器において、第２のストライプ電極に第２の検出部を接続し、その第２の検出部により光導電層における電荷の発生に応じて第２のストライプ電極に流れる電流を検出するようにしたので、放射線照射中における実時間信号の取得を簡易な構造かつ低コストで実現することができる。そして、その実時間信号を利用することにより放射線の線量の制御を適切に行うことができる。
【００１６】
また、上記放射線画像検出器において、第２のストライプ電極を、第２の線状電極をその長さ方向に所定の間隔で切断して形成された部分電極を、第２の線状電極の配列方向に複数本接続したくし型電極を複数備えてなるものとし、第２の検出部を、複数のくし型電極のそれぞれに接続される複数の電流検出部から構成されたものとした場合には、放射線画像記録媒体における上記くし型電極の設けられた範囲毎の実時間信号を得ることができるので、撮影される被写体の形態などに応じて適切な範囲の実時間信号を得ることができ、より適切な放射線の線量の制御を行うことができる。
【００１７】
【発明の実施の形態】
以下、図面を参照して本発明の放射線画像検出器の一実施形態について説明する。本放射線画像検出器は、放射線画像が記録される放射線画像記録媒体と、放射線画像記録媒体から記録された放射線画像に基く放射線画像信号を読み出す第１の検出部と、放射線画像記録媒体への放射線照射中の実時間信号を検出する第２の検出部とから構成されている。図１は本放射線画像検出器における放射線画像記録媒体の概略構成を示す図である。
【００１８】
本放射線画像検出器における放射線画像記録媒体１０は、図１に示すように、放射線画像を担持した放射線を透過する第１の電極層１、第１の電極層１を透過した放射線の照射を受けることにより電荷を発生する記録用光導電層２、記録用光導電層２において発生した電荷に対しては絶縁体として作用し、且つその電荷と逆極性の輸送電荷に対しては導電体として作用する電荷輸送層３、読取光の照射を受けることにより電荷を発生する読取用光導電層４、および読取光を透過する第２の電極層５をこの順に配列してなるものである。記録用光導電層２と電荷輸送層３との間には、記録用光導電層２内で発生した電荷を蓄積する蓄電部６が形成されている。
【００１９】
第１の電極層１としては、放射線を透過するものであればよく、たとえば、ネサ皮膜（ＳｎＯ２）、ＩＴＯ（Ｉｎｄｉｕｍ  Ｔｉｎ  Ｏｘｉｄｅ）、アモルファス状光透過性酸化膜であるＩＤＩＸＯ（Ｉｄｅｍｉｔｓｕ  Ｉｎｄｉｕｍ  Ｘ−ｍｅｔａｌ  Ｏｘｉｄｅ  ；出光興産（株））などを５０〜２００ｎｍ厚にして用いることができ、また、１００ｎｍ厚のＡｌやＡｕなども用いることもできる。
【００２０】
また、第２の電極層５は、多数の第１の線状電極５ａからなる第１のストライプ電極５１と、第１のストライプ電極５１の第１の線状電極５ａの間に配列された多数の第２の線状電極５ｂからなる第２のストライプ電極５２とを備えている。なお、第１のストライプ電極５１と第２のストライプ電極５２との間には読取光を透過する絶縁層５ｃが設けられている。また、本実施の形態においては、第１のストライプ電極５１は、読取光を遮光するＡｌ、Ｃｒなどの金属から形成されている。また、第２のストライプ電極５２は、第１の電極層１と同様の材料で形成することができ、読取光を透過するものである。また、第１のストライプ電極５１についても、第２のストライプ電極５２と同様の材料により形成し、その後、読取光を遮光するようにＡｌ、Ｃｒなどの金属によりコーティングするようにしてもよい。また、本実施形態では、上記のように第１のストライプ電極５１を読取光を遮光する電極とし、第２のストライプ電極５２を読取光を透過する電極としたが、このような態様に限らず、上記のように第１のストライプ電極５１を読取光を透過する電極とし、第２のストライプ電極５２を読取光を遮光する電極としてもよいし、第１および第２のストライプ電極５１，５２の両方を読取光を遮光する電極として各線状電極間を読取光が透過するようにしてもよいし、第１および第２のストライプ電極５１，５２の両方を読取光を透過する電極としてもよい。
【００２１】
また、図２に図１に示す放射線画像記録媒体１０の下面図を示す。なお、図１は図２における１−１線断面図となる。
【００２２】
図２に示すように、第２のストライプ電極５２は、線状電極５ｂを長さ方向（Ｙ方向）について所定のピッチで切断して形成された部分電極５ｄを複数本その配列方向に接続したくし型電極５ｅを備えてなるものである。本実施形態においては、１インチ四方毎にくし型電極５ｅが設けられるよう各線状電極５ｂが切断されるとともに、その切断された線状電極が上記配列方向に接続されている。また、各くし型電極５ｅは、それぞれ後述する第２の検出部７の電流検出アンプ７１ａに接続されている。なお、図２においては、放射線画像記録媒体１０の一部のみを記載し、その他の部分については記載を省略してある。
【００２３】
記録用光導電層２は、放射線の照射を受けることにより電荷を発生するものであればよく、放射線に対して比較的量子効率が高く、また暗抵抗が高いなどの点で優れているａ−Ｓｅを主成分とするものを使用する。厚さは５００μｍ程度が適切である。
【００２４】
電荷輸送層３としては、たとえば、第１の電極層１に帯電する電荷の移動度と、その逆極性となる電荷の移動度の差が大きい程良く（例えば１０２以上、望ましくは１０３以上）ポリＮ−ビニルカルバゾール（ＰＶＫ）、Ｎ，Ｎ’−ジフェニル−Ｎ，Ｎ’−ビス（３−メチルフェニル）−〔１，１’−ビフェニル〕−４，４’−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ等の半導体物質が適当である。
【００２５】
読取用光導電層４としては、読取光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Ｍａｇｎｅｓｉｕｍ  ｐｈｔａｌｏｃｙａｎｉｎｅ），ＶｏＰｃ（ｐｈａｓｅＩＩ  ｏｆ  Ｖａｎａｄｙｌ  ｐｈｔｈａｌｏｃｙａｎｉｎｅ）、ＣｕＰｃ（Ｃｕｐｐｅｒ  ｐｈｔａｌｏｃｙａｎｉｎｅ）などのうち少なくとも１つを主成分とする光導電性物質が好適である。厚さは１０μｍ程度が適切である。
【００２６】
また、本放射線画像検出器は、図２に示すように、放射線画像記録媒体１０の蓄電部６に蓄積された電荷を検出するための第１の検出部８と、放射線照射中における実時間信号を検出する第２の検出部７とを備えている。第２の検出部７は、放射線照射中に記録用光動電層２内において発生した電荷の量に応じて第２のストライプ電極５ｂに流れた電流を検出するものである。第１の検出部８は、第１のストライプ電極５の各線状電極５ａに接続された多数の電流検出アンプ６１ａから構成されている。また、第２の検出部７は、第２のストライプ電極６の各線状電極５ｂに接続された多数の電流検出アンプ７１ａから構成されている。
【００２７】
次に、本放射線画像検出器の作用について説明する。まず、放射線照射中における実時間信号を取得する際の作用について説明する。
【００２８】
まず、放射線画像の記録を行う際には、図３（Ａ）に示すように、第２の電極層５は接地され、第１の電極層１には負の高電圧が高電圧源２０により印加され、第１の電極層１は負に帯電し、第２の電極層は正に帯電する。そして、次に、第２の電極層５における第２の線状電極５ｂを第２の検出部７の電流検出アンプ７１ａにそれぞれ接続するとともに、放射線画像記録媒体１０に被写体３０を通過した放射線を照射する。なお、被写体９における斜線部が放射線を透過しない遮光部３０ａであり、斜線でない部分が放射線を透過する透過部３０ｂである。
【００２９】
上記のようにして放射線画像記録媒体１０に照射された放射線は、第１の電極層１を透過し、記録用光導電層２に照射される。そして、記録用光導電層２の放射線の照射された部分において、図３（Ｂ）に示すように、電荷対が発生し、この電荷対のうち正の電荷は負に帯電した第１の電極層１に向かって移動し、第１の電極層１における負の電荷と結合して消滅する。一方、上記ようにして発生した電荷対のうち負の電荷は正に帯電した第２の電極層５に向かって移動するが、電荷輸送層３は負の電荷に対しては絶縁体として作用するため、上記負の電荷は記録用光導電層２と電荷輸送層３との界面である蓄電部６に蓄積される。
【００３０】
ここで、上記のように放射線の照射により記録用光導電層２において電荷対が発生し、負の電荷が蓄電部６に蓄積される際には、この負の電荷の発生に応じて第２の電極層５においても正の電荷が増加することになる。そして、上記のようにして蓄積される負電荷は放射線の線量に比例するので、第２の電極層５において増加する正の電荷も放射線の線量に比例することになる。したがって、図３（Ｂ）に示すように第２の電極層５の第２の線状電極５ｂに電流検出アンプ７１ａを接続することにより、放射線の線量に応じて第２のストライプ電極５２に流れた電流を検出することができる。そして、その電流値の大きさは放射線の線量に比例することになる。つまり、上記のようにして電流検出アンプ７１ａにより電流値をモニタすることにより、放射線画像記録媒体１０に照射されている放射線の線量をモニタすることができる。
【００３１】
また、図２に示すように、第２のストライプ電極５２は複数のくし型電極５ｅから構成され、各くし型電極５ｅのそれぞれに対して電流検出アンプ７１ａが接続されているので、くし型電極５ｅの設けられた範囲毎についての放射線の線量を検出するようにすることができる。したがって、たとえば、図４に示すような胸部の放射線画像を撮影する場合には、図４に示すＲの範囲に設けられたくし型電極５ｅにより検出された実時間信号に基づいて放射線の照射を制御するようにすればよい。
【００３２】
次に上記のようにして放射線画像記録媒体１０に記録された放射線画像を読み取る際の作用について説明する。
【００３３】
まず、放射線画像記録媒体１０に記録された放射線画像を読み取る際には、図５（Ａ）に示すように、第１の電極層１は接地される。そして、図５（Ａ）に示すように、第１および第２の線状電極５ａ，５ｂの長さ方向に略直交する方向に線状に延びる読取光源１１が、上記長さ方向に搬送され、ライン状の読取光が順次第２の電極層５に照射される。また、上記のように読取光が照射される際には、図５（Ｂ）に示すように、第２の電極層５における第２の線状電極５ｂは接地され、第１の線状電極５ａは第１の検出部６の電流検出アンプ６１ａにそれぞれ接続される。そして、この状態で読取光が照射されると、読取光は第２の電極層５の第２の線状電極５ｂを透過して読取用光導伝層４に照射される。上記のようにして読取光が照射されると読取用光導伝層４においては電荷対が発生する。そして、その電荷対のうち正の電荷は電荷輸送層３を通過して電荷輸送層３と記録用光導伝層２との界面に形成された蓄電部６の負の電荷と結合して消滅する。一方、読取用光導伝層４において発生した電荷対のうち負の電荷は第２の電極層５に帯電された正の電荷に向かって移動する。そして、第２の電極層５における第２の線状電極に帯電した正の電荷と結合するとともに、第１の線状電極５ａに帯電した正の電荷とも電流検出アンプ６１ａを介して結合する。上記のようにして読取光の照射により放電させることにより蓄電部６に蓄積された電荷に応じた信号、つまり放射線画像記録媒体１０に照射された放射線の線量に応じた放射線画像信号を検出することができる。
【００３４】
また、本実施形態の放射線画像記録媒体１０においては、図２に示すように、第２の線状電極５ｂが所定のピッチで切断されているため、この切断部分においては上記のような放電が生じず、この切断部分を含む読取ラインの信号レベルＳ１は、図６に示すように、前後の読取ラインの信号レベルＳ２と比べると多少小さくなる。また、くし型電極５ｅの部分電極５ｄを配列方向に接続する線の部分においては、放電は生じるが、図７に示すように、上記接続する線に帯電した正の電荷が読取用光導電層４において生じた負の電荷と結合して放電し、第１の線状電極５ａに帯電した電荷が電流検出アンプ６１ａを介して上記負の電荷と結合して放電することはないので、上記と同様に上記接続部分を含む読取ラインの信号レベルは前後の読取ラインの信号レベルよりも多少小さくなる。しかしながら、上記信号レベルの低下は僅かなものであるため、放射線画像信号の検出において特に大きな影響を与えるものではない。また、上記のような信号レベルの低下した部分を座標として検出し、たとえば、放射線画像信号の欠陥補正などを行う際に、欠陥のある部分の座標に近い座標の正常な信号を利用してその欠陥のある部分の信号の補正したりすることができる。
【００３５】
また、上記実施形態においては、第２のストライプ電極５２を複数のくし型電極５ｅを備えてなるものとしたが、必ずしも上記のような構成に限らず、第１のストライプ電極５１および第２のストライプ電極５２のいずれか一方を利用して放射線画像信号の検出を行うとともに、他方のストライプ電極を利用して実時間信号を検出するものであれば電極の形状などはその他の形状を採用してもよい。
【００３６】
また、本発明の放射線画像検出器における放射線画像記録媒体の層構成は上記実施形態のような層構成に限らずその他の層を加えたりしてもよく、要は放射線線の照射によりその放射線の線量に応じた電荷を発生、蓄積し、その電荷を第１の電極層および第２の電極層を利用して読み出すものであれば如何なる層構成、材料を採用してもよい。
【図面の簡単な説明】
【図１】本発明の放射線画像検出器の一実施形態における放射線画像記録媒体の一部断面図
【図２】図１に示す放射線画像記録媒体の下面図と本発明の放射線画像検出器の一実施形態における第１および第２の検出部とを示す図
【図３】本発明の放射線画像検出器の一実施形態により放射線の照射中における実時間信号を検出する作用を説明する図
【図４】本発明の放射線画像検出器の一実施形態の一部の範囲の実時間信号を検出する態様を説明する図
【図５】本発明の放射線画像検出器の一実施形態に記録された放射線画像を読み出す作用を説明する図
【図６】本発明の放射線画像検出器の一実施形態により検出される放射線画像信号の一部を示す図
【図７】本発明の放射線画像検出器の一実施形態に記録された放射線画像を読み出す際におけるくし型電極の作用を説明する図
【符号の説明】
１    第１の電極層
２    記録用光導電層
３    電荷輸送層
４    読取用光導電層
５    第２の電極層
５ａ    第１の線状電極
５ｂ    第２の線状電極
５ｃ    絶縁層
５ｄ    部分電極
５ｅ    くし型電極
６    蓄電部
７    第２の検出部
８    第１の検出部
１０    放射線画像記録媒体
１１    読取光源
２０    高電圧源
３０    被写体
３０ａ    遮光部
３０ｂ    透過部
【図１】
2004342691.tif 000003
【図２】
2004342691.tif 000004
【図３】
2004342691.tif 000005
【図４】
2004342691.tif 000006
【図５】
2004342691.tif 000007
【図６】
2004342691.tif 000008
【図７】
2004342691.tif 000009